(57)【要約】【課題】引き込み作業時に光ファイバ心線に負荷が掛かるのを抑えて伝送特性の低下を防止し、保護被覆表面の引き裂き溝の口幅をクマゼミの産卵管の太さより狭くして産卵管が刺入されないドロップケーブルを提供する。【解決手段】中心に光ファイバ心線１１、その両側に間隔をあけてテンションメンバ１２を並列し、両者の周上に形成した保護被覆１５であって、上記光ファイバ心線１１とテンションメンバ１２とを結ぶ仮想線の中間点を直交する線が上記保護被覆の表面に到達する点の長さ方向に、蝉の産卵管の外径未満の口幅を有する引き裂き溝１４を形成したものであり、上記保護被覆１５の引き裂き溝１４の口幅を０．１〜０．３５ｍｍとし、その引き裂き溝１４の谷底部分の肉厚を０．１５〜０．５ｍｍとしたものである。【選択図】図１
2007264236.tif 000002
【特許請求の範囲】
【請求項１】
中心に光ファイバ心線（１１）、その両側に間隔をあけてテンションメンバ（１２）を並列し、両者の周上に形成した保護被覆（１５）であって、上記光ファイバ心線（１１）とテンションメンバ（１２）とを結ぶ仮想線の中間点を直交する線が上記保護被覆（１５）の表面に到達する点の長さ方向に、蝉の産卵管の外径未満の口幅を有する引き裂き溝（１４）を形成したことを特徴とする防蝉光ファイバケーブル。
【請求項２】
上記保護被覆（１５）の引き裂き溝（１４）の口幅を０．１〜０．３５ｍｍとし、その引き裂き溝の谷底部分の肉厚を０．１５〜０．５ｍｍとしたことを特徴とする請求項１に記載の防蝉光ファイバケーブル。
【請求項３】
上記保護被覆（１５）の外形を、長軸／短軸＝１〜２とした円形または楕円形としたことを特徴とする請求項１または２に記載の防蝉光ファイバケーブル。
【請求項４】
上記保護被覆（１５）にポリウレタンまたは高密度ポリエチレンをベースとする組成物を採用してなることを特徴とする請求項１乃至３のいずれかに記載の防蝉光ファイバケーブル。
【発明の詳細な説明】
【技術分野】
【０００１】
この発明は蝉の産卵管が刺入されるのを防止した防蝉光ケーブルに関する。
【背景技術】
【０００２】
昆虫とりわけ強力な産卵管を持つクマゼミが、光ドロップケーブルの外被に卵を産み付け、それがため光ドロップケーブル内の光ファイバ心線が損傷し、あるいは断線する事故が起きている。
【０００３】
上記事故を観察したところ、断面楕円形の保護被覆を剥ぎ取り易くするために、この保護被覆の表面長手方向にＶ溝を形成しており、このＶ溝から産卵管が刺入され、その先端が光ファイバ心線に到達して損傷あるいは断線することが分かってきた。
【０００４】
こうした事故の防止策を講じた先行技術として次の特許文献を挙げることができる。
【特許文献１】特開２００２−０９０５９３号公報（要約および選択図面）
【特許文献２】特開２００２−３２８２７６号公報（要約および選択図面）
【発明の開示】
【発明が解決しようとする課題】
【０００５】
上記特許文献に係る発明は、いずれもＶ溝を光ファイバ心線の直上から左右にずらせて設けることにより、産卵管の先端が光ファイバ心線に到達しないようにしたもの（特許文献１の図２，特許文献２の図３参照）であるが、これでは外被を引き裂くのと同時に光ファイバ心線が露出せず端末処理工数の削減効果を得ることができない問題を残した。
【０００６】
また、上記特許文献に記載のものは、保護被覆に用いられている素材が、柔らかいポリ塩化ビニルあるいは低密度ポリエチレンであるため蝉が止まり易く、かつ、断面楕円形の表面長さ方向に深いＶ溝を形成しているので産卵管が刺入され易い状態になっている。
【０００７】
また、本出願人は先に、保護被覆を断面円形、または、長軸／短軸の比を２以下とする楕円形とし、この保護被覆の表面長さ方向にＶ溝を形成し、上記保護被覆と光ファイバ心線との間に微小ギャップを設けて、産卵管が刺入されたとき光ファイバ心線が逃げるようにしたものを提案し、その効果を確認していたところＶ溝の口幅が狭いものでは、産卵管の刺入が見られないことを知ることとなった。
【０００８】
本発明は上記知見をもとに、保護被覆の表面に形成するＶ溝の口幅をクマゼミの産卵管の太さより狭くして産卵管が刺入されない光ファイバケーブルを提供しようとするものである。
【課題を解決するための手段】
【０００９】
上記課題を解決するためにこの発明は、中心に光ファイバ心線１１、その両側に間隔をあけてテンションメンバ１２を並列し、両者の周上に形成した保護被覆１５であって、上記光ファイバ心線１１とテンションメンバ１２とを結ぶ仮想線の中間点を直交する線が上記保護被覆の表面に到達する点の長さ方向に、蝉の産卵管の外径未満の口幅を有する引き裂き溝１４を形成したものであり、上記保護被覆１５の引き裂き溝１４の口幅を０．１〜０．３５ｍｍとし、その引き裂き溝１４の谷底部分の肉厚を０．１５〜０．５ｍｍとし、上記保護被覆１５の外形を、長軸／短軸＝１〜２とした円形または楕円形としたものである。なお、上記保護被覆にはポリウレタン、高密度ポリエチレン組成物を採用することができる。
【００１０】
前記谷底部分の肉厚を０．１５〜０．５ｍｍとしたのは、０．１５ｍｍ未満では引き裂き溝部が破れ、光ファイバ心線が飛び出す恐れがあり、０．５ｍｍを超えると引き裂き作業が困難となる。また、前記口幅を０．１〜０．３５ｍｍとしたのは、０．１ｍｍ未満では引き裂きが困難であり、光ファイバ心線の取出しができず、０．３５ｍｍを超えると蝉の産卵管が刺入される。
【発明の効果】
【００１１】
上記の如く構成するこの発明によれば、防蝉効果が確実に得られ、光ファイバケーブルの端末・接続工事に際して保護被覆の引き裂き作業が容易になる。
【発明を実施するための最良の形態】
【００１２】
次にこの発明の実施の形態を、図面を参照しながら説明する。
【実施例１】
【００１３】
図１（ａ）は実施例１で、１１は外径０．２５ｍｍの単心光ファイバ心線、１２は上記単心光ファイバ心線の両側に間隔をあけて並列した０．４５ｍｍφのアラミド繊維強化プラスチック紐のテンションメンバで、その上に低摩擦・難燃性ポリウレタン組成物により外径２．０ｍｍφの保護被覆１５を形成している。
【００１４】
上記保護被覆１５の表面長さ方向には引き裂きを容易にする引き裂き溝１４（以下、単に「引き裂き溝」と表現する）が形成されており、引き裂き溝の口幅は０．３５ｍｍ、引き裂き溝の深さを０．５ｍｍにし、引き裂き溝の底から光ファイバ心線までの間隔（被覆の肉厚残部）は０．２５ｍｍにしている。
【００１５】
また、保護被覆１５と単心光ファイバ心線１１との間には０．２ｍｍの微小ギャップＧを設けている。なお、この微小ギャップＧは０．１〜０．３ｍｍの範囲で選択することができるが、これより大きすぎると布設時および布設後の光ファイバ心線の移動が懸念され、小さすぎると光ファイバ心線の取出しが困難となる。
【実施例２】
【００１６】
図１（ｂ）は実施例２で、１１は外径０．２５ｍｍの光ファイバ心線を２心平行配置した２心光ファイバ心線、１２は上記光ファイバ心線の両側に間隔をあけて並列した０．４５ｍｍφのアラミド繊維強化プラスチック紐のテンションメンバ、１３は１．２ｍｍφの亜鉛メッキ鋼線（支持線）で、これらの上に微小ギャップＧを介して低摩擦・難燃ポリウレタン組成物により外径３．０ｍｍφの保護被覆１５とブリッジ１７を介して外径２．０ｍｍφの外被１６を設けている。
【００１７】
この実施例では支持線と外被を設けた他は、基本的に実施例１と同様であるからこの他の説明を省略する。
【実施例３】
【００１８】
図１（ｃ）は実施例３で、１１は外径０．２５ｍｍの光ファイバ心線を４心平行配置した４心光ファイバテープ心線、１２は上記光ファイバテープ心線の両側に間隔をあけて並列した０．４５ｍｍφのアラミド繊維強化プラスチック紐のテンションメンバ、１３は１．２ｍｍφの亜鉛メッキ鋼線（支持線）で、これらの上に低摩擦・難燃性ポリウレタン組成物により短軸２．０ｍｍ×長軸４．０ｍｍの楕円形保護被覆１５と、ブリッジ１７を介して外径２．０ｍｍφの外被１６を設けている。
【００１９】
上記保護被覆１５の成形は、パイプ押し出し法を採用し、光ファイバテープ心線１１と保護被覆１５との間に、短軸側０．１１ｍｍ、長軸側０．３５ｍｍの微小ギャップＧを形成し、保護被覆１５の表面長さ方向に谷底が円弧状で、谷面と外周面が交わる部分に引き裂き溝１４を設ける。ここで上記微小ギャップＧは、短軸側、長軸側とも０．５ｍｍまで広げることができるが、それ以上は、実施例１と同じ理由で広げることは好ましくない。なお、上記以外は、実施例１〜２と基本的に同様であるから説明を省略する。
【００２０】
【表１】
2007264236.tif 000003
フィールド試験場所
Ａ：株式会社きんでん殿
１：京都支店管内、２：和歌山支店管内、３：奈良支店管内、４：神戸支店管内
５：姫路支店管内、６：中央区支店管内、７：社員宅：滋賀県
Ｂ：タツタ電線株式会社大阪工場
Ｃ：      同        福知山工場
樹種  ａ：樫、  ｂ：欅、  ｃ：椚、  ｄ：柿、  ｅ：桜、  ｆ：メタセコイヤ、
ｇ：プラタナス、  ｈ：椋、ｉ：合歓
【００２１】
次に本発明の防蝉効果を確認するため、実施例１、実施例２、実施例３および図２に示す従来例のサンプルを表１に示す試験場の各種樹木の幹表面に這わせて敷設し、２００４年７月３１日から２ヶ月経過後の産卵管の刺入状況を観察したところ、３カ所の試験場所、３樹種で産卵管の刺入疵を確認したが、刺入疵があったのはいずれも従来例のサンプルで、本発明の各実施例のサンプルでは刺入疵は確認されなかった。なお、図２に示す比較例の保護被覆外形(矩形）において、引き裂き溝の口幅を本発明のように狭くするならば同様の効果が得られることは明らかである。
【産業上の利用可能性】
【００２２】
以上説明したように、保護被覆表面に形成した引き裂き溝の口幅を特定することにより昆虫の産卵管が刺入し難くなり、産卵管が刺入されたとしても光ファイバ心線と保護被覆との間にギャップがあることにより、光ファイバ心線が損傷あるいは断線に至る可能性が小さくなった。
【図面の簡単な説明】
【００２３】
【図１】本発明に係るドロップケーブルの断面図で（ａ）は実施例１、（ｂ）は実施例２、（ｃ）は実施例３を示す。
【図２】従来技術に係るドロップケーブルの断面図
【符号の説明】
【００２４】
１０  ドロップケーブル
１１  光ファイバ（テープ）心線
１２  テンションメンバ
１３  亜鉛メッキ鋼線（支持線）
１４  引き裂き溝
１５  保護被覆
１６  外被
１７  ブリッジ
Ｇ  ギャップ
【図１】
2007264236.tif 000004
【図２】
2007264236.tif 000005